(57)【要約】【課題】  先端鎌形状のフック部を、受け座に形成された係止受け部に揺動係止して施錠する施錠装置において、係止力を大きく確保するとともに、外され難いものに構成する。【解決手段】  左右隣接する一対のフック体１３、１４を備えた座板側ユニット４をシャッターカーテン１の座板に設ける一方、係止孔１６、１７が形成された受け座ユニット１５を床部に設け、前記フック体１３、１４の先端の鎌片１３ａ、１４ａに、フック体１３、１４の揺動方向に沿う面から屋外側（一方）に突出する第一フック部１３ｄ、１４ｄと、前記揺動方向先側に位置する第二フック部１３ｅ、１４ｅとを形成する一方、各係止孔１６、１７の孔縁に、第一、第二フック部１３ｄ、１３ｅ、１４ｄ、１４ｅに係止する第一、第二係止受け部１６ａ、１６ｂ、１７ａ、７ｂを形成する。【選択図】        図５
2006144471.tif 000002
【特許請求の範囲】
【請求項１】
先端にフック部を備えたフック体の揺動で、フック部が受け座に設けたフック受け部に係止してなる施錠装置であって、前記フック部は、フック体の揺動方向に沿う面から少なくとも一方に突出して形成されている施錠装置。
【請求項２】
請求項１において、フック部には、フック体の揺動方向先側に位置する第二フック部が形成されている施錠装置。
【請求項３】
請求項１または２において、フック受け部は、フック部が貫通して係止する孔縁を備えた貫通孔で構成されている施錠装置。
【請求項４】
躯体開口部を開閉する建築用開閉装置の開閉体と躯体とのあいだに、先端にフック部を備えたフック体の揺動で、フック部が受け座に設けたフック受け部に係止してなる施錠装置を設けた建築用開閉装置であって、前記フック部は、フック体の揺動方向に沿う面から少なくとも一方に突出して形成されている施錠装置を備えた建築用開閉装置。
【請求項５】
請求項４において、フック部は、フック体の揺動方向先側に位置する第二フック部が形成されている施錠装置を備えた建築用開閉装置。
【請求項６】
請求項４または５において、開閉体と躯体とのあいだには、少なくとも二つの施錠装置が開閉体の幅方向に並列して設けられるものとし、これら施錠装置の少なくとも一対のものは、フック体の揺動方向が互いに反対方向を向いて係止するように設けられている施錠装置を備えた建築用開閉装置。
【請求項７】
請求項６において、一対の施錠装置は、一回の施錠−解錠操作で同時に施錠−解錠するように構成されている施錠装置を備えた建築用開閉装置。
【請求項８】
請求項４乃至７の何れかにおいて、フック受け部は、フック部が貫通して係止する孔縁を備えた貫通孔で構成されている施錠装置を備えた建築用開閉装置。
【発明の詳細な説明】
【技術分野】
【０００１】
本発明は、建築物の開口部を開閉するシャッターカーテンを躯体側に施錠する場合等に用いられる施錠装置および施錠装置を備えた建築用開閉装置の技術分野に属するものである。
【背景技術】
【０００２】
一般に、この種の施錠装置のなかには、先端に鎌形状のフック部を備えたフック体の揺動作動により、受け座に形成されたフック受け部に引っ掛けて（係止させて）施錠する施錠装置（所謂鎌錠）が知られている。このような施錠装置において、フック部と、フック受け部とは、それぞれ別個の部材に設けられるものであり、フック部とフック受け部との係止を確実にするためには、各部材に対しそれぞれを精度よく位置調整した状態で取り付けることが要求される。
【０００３】
そこで、フック部が揺動係止するフック受け部の係止代（掛かり代）を調整自在に形成しておき、多少の位置ズレがあっても係合するように構成することが提唱されている（特許文献１参照）。
一方、このような施錠装置を、開口部を開閉する建築用開閉装置、例えばシャッター装置に設ける場合では、施錠装置をシャッターカーテン下端部の座板と、開口部の下部とのあいだに設けて、シャッターカーテンの閉鎖時に、シャッターカーテンが不用意に開放されないように構成したものが提唱されている（特許文献２参照）。
【特許文献１】特開平９−７８９０２号公報
【特許文献２】特開２００３−１９３７７７号公報
【発明の開示】
【発明が解決しようとする課題】
【０００４】
これら施錠装置としては、前者の施錠装置では、フック受け部を凹孔の孔縁とし、フック部となる鎌片を、前記孔縁のフック部の揺動方向先側に位置する部位に係止させる構成であり、後者の施錠装置では、フック受け部をフック部の揺動作動方向に直交する方向を向いて配された係止ピンとし、フック部となる鎌片を係止ピンに係止させる構成となっている。しかるに、これらのものにおいて、施錠状態の鎌片による係止は、鎌片の先端と孔縁との係止部、または、鎌片と係止ピンとの係止部のみであって係止面積が小さく、鎌片あるいは孔縁や係止ピンが変形し易いばかりでなく、必要な係止力を確保することが難しく、大きな係止力を得るためには、鎌片を大きくするか、あるいは、鎌錠を複数設けたり、別な施錠装置を設ける等しなければならず、施錠するための装置が大型化してしまうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、先端に鎌形状のフック部を備えたフック体の揺動で、フック部が受け座に設けたフック受け部に係止してなる施錠装置であって、前記フック部は、フック体の揺動方向に沿う面から少なくとも一方に突出して形成されているものである。
そして、このようにすることにより、係止面積を大きく確保できて、防犯性の向上を果せる。
請求項２の発明は、請求項１において、フック部には、フック体の揺動方向先側に位置する第二フック部が形成されているものであり、このようにすることにより、係止面積を大きく確保できるうえ、フック体を基準として二方向において係止部が設けられるので、防犯性が向上する。
請求項３の発明は、請求項１または２において、フック受け部は、フック部が貫通して係止する孔縁を備えた貫通孔で構成されているものであり、このようにすることにより、簡単な構成でありながら確りとした施錠をすることができる。
請求項４の発明は、躯体開口部を開閉する建築用開閉装置の開閉体と、躯体とのあいだに、先端に鎌形状のフック部を備えたフック体の揺動で、フック部が受け座に設けたフック受け部に係止してなる施錠装置であって、前記フック部がフック体の揺動方向に沿う面から少なくとも一方に突出して形成された施錠装置を設けたものである。
そして、このようにすることにより、シャッターカーテンの施錠が確実になされて、防犯性の高いシャッター装置とすることができる。
請求項５の発明は、請求項４において、フック部は、フック体の揺動方向先側に位置する第二フック部が形成されている施錠装置を備えたものであり、このようにすることにより、施錠装置の係止面積を大きく確保できるとともに、フック体を基準として二方向において係止部が設けられて、一層防犯性が向上する。
請求項６の発明は、請求項４または５において、開閉体と躯体とのあいだには、少なくとも一対の施錠装置が開閉体の幅方向に並列して設けられるものとし、一対のフック体および一対の受け座とは、フック体の揺動方向が互いに反対方向を向いて係止するように設けられているものであり、このようにすることにより、一層外部から解錠され難くすることができて、優れた防犯性を有したシャッター装置とすることができる。
請求項７野発明は、請求項６において、一対の施錠装置は、一回の施錠−解錠操作で同時に施錠−解錠するように構成されているものであり、このようにすることにより、防犯性に優れ、しかも、操作性の優れたシャッター装置とすることができる。
請求項８の発明は、請求項４乃至７の何れかにおいて、フック受け部は、フック部が貫通して係止する孔縁を備えた貫通孔で構成されているものであり、このようにすることにより、簡単な構成でありながら確りとした施錠をすることができる。
【発明の効果】
【０００６】
請求項１の発明とすることにより、係止面積を大きく確保できて、防犯性の向上を果せる。
請求項２の発明とすることにより、係止面積を大きく確保でき、しかも、防犯性が向上する。
請求項３の発明とすることにより、簡単な構成でありながら確りとした施錠をすることができる。
請求項４の発明とすることにより、シャッターカーテンの施錠が確実になされて、防犯性の高いシャッター装置とすることができる。
請求項５の発明とすることにより、防犯性が一層向上する。
請求項６の発明とすることにより、一層外部から解錠され難くすることができて、優れた防犯性を有したシャッター装置とすることができる。
請求項７野発明とすることにより、防犯性に優れ、しかも、操作性の優れたシャッター装置とすることができる。
請求項８の発明とすることにより、簡単な構成でありながら確りとした施錠をすることができる。
【発明を実施するための最良の形態】
【０００７】
つぎに、本発明の実施の形態について、図１〜６の図面に基づいて説明する。
図面において、１はバランス式（手動式）の建築用シャッター装置を構成するシャッターカーテンであって、該シャッターカーテン１は、左右方向に長いスラット１ａの複数枚を上下方向に連結して構成されている。前記シャッターカーテンの上端部は、躯体開口部の上方に配されたシャッターケース２に内装される巻き取りドラム（図示せず）に連結されるが、巻き取りドラムにはバランス弾機が内装され、シャッターカーテン１の巻き取りドラムから繰り出される自重にバランスされるように設定されている。
そして、シャッターカーテン１は左右両縁部が開口部の左右両側に配されたガイドレール３のガイド溝３ａに嵌合されており、該ガイドレール３の移動案内を受ける状態で上下方向に移動するように構成され、シャッターカーテンを下方に引き下げる閉鎖操作を行うことにより、巻き取りドラムから巻き出されてバランス弾機に付勢力を付勢しつつ開口部を閉鎖する閉鎖姿勢となり、上方へ引き上げる開放操作をすることにより、バランス弾機の付勢力を受ける状態で上動して巻き取りドラムに巻き取られて開口部を開放する開放姿勢となるよう開閉移動するように構成されており、これらは何れも従来通りの構成となっている。
【０００８】
前記シャッターカーテン１の屋内外の両側面には、人が操作しやすい高さに位置してシャッターカーテン１を上下動操作するための手掛け１ｂが設けられている。さらに、シャッターカーテン１下端部に位置する座板１ｃの左右方向中央部の屋内側には、本発明が実施された一対の施錠装置が設けられた錠ユニットＲを構成する座板側ユニット４が設けられており、シャッターカーテン１を閉鎖姿勢としたとき、開口部の下方を構成する床部（躯体）とのあいだを施錠するように設定されている。
【０００９】
前記座板側ユニット４は、屋内外方向に薄型で、かつ、屋外側が開口するボックス形状のケーシング５と、該ケーシング５に形成された屋外側の開口部を覆蓋するように設けられるプレート部６とを備えて構成されている。前記プレート部６は、下端縁部に屋内側に向けて折曲された折曲片６ａを備えた側面視Ｌ字形状に形成されており、折曲片６ａとケーシング５の下側片５ａとのあいだには所定間隙Ｓが存するように設定されている。尚、前記プレート部６の折曲片６ａは、座板側ユニット４を座板１ｃに取り付けたとき、座板１ｃの下端面より上側に位置するように形成されている。
そして、ケーシング５の底面（屋内側に位置する面であって座板１ｃに対向する面）５ｂの左右方向中央部位には、該底面５ｂに積層する薄板状の回転体７の中心部が回転自在に枢支されている。前記回転体７の外周縁部の屋外側面（開口側の面）には、径方向に対向する部位に位置して一対の作動アーム８、９の基端部が基端側連結ピン８ａ、９ａを介してそれぞれ揺動自在に枢支されている。一方、１０、１１は、図３において、回転体７の左右に位置し、ケーシング５の下側片５ａと上側片５ｃとのあいだに挟まれて上下方向の移動が規制され、かつ、底面５ｂに対して摺動自在に面接触する状態で配された左右一対のスライド体であって、これらスライド体１０、１１は、上下側片５ｃ、５ａに案内され、ケーシング底面５ｂを左右方向にスライド移動自在に変位するように設けられている。そして、これらスライド体１０、１１の左右方向内方端部（互いに近接する側の端部）に、前記左右の作動アーム８、９の先端部が先端側連結ピン８ｂ、９ｂを介してそれぞれ揺動自在に枢支されている。
ここで、回転体７の板厚と各スライド体１０、１１の板厚とは略同様に設定されており、作動アーム８、９は、ケーシング底面５ｂと略平行な位置関係となるように設定されている。
【００１０】
さらに、前記回転体７の中心部には、屋内外方向に貫通するキー孔１２ａを備えたシリンダー錠１２が設けられており、後述するように、キー孔１２ａに図示しないキー（施錠具）を嵌合させて回転操作することにより、回転体７を正逆何れかに回転するように設定されている。そして、回転体７を正逆何れかの方向に１８０度の回転をすることに伴い、左右の作動アーム８、９は、基端部が上下に隣接して位置する状態と左右に隣接して位置する状態とに変位し、これによって、作動アーム８、９にそれぞれ連結するスライド体１０、１１を、互いに近接する第一位置と、互いに離間する第二位置とにスライド変位させるように設定されている。
【００１１】
ここで、回転体７の回転に伴う左右一対の作動アーム８、９の作動について図３、４の図面に基づいて説明する。
図３において、施錠具を用いてシリンダー錠を操作し、回転体７を矢印Ｘ方向（時計回り方向）に回転せしめることにより、図４の実線で示すように、各作動アーム８、９は、基端部が上下に隣接する位置関係となりスライド体１０、１１を互いに近接する第一位置に位置せしめるように設定されている。ここで、回転体７の左側に位置する作動アーム８の基端側ピン８ａが設けられる基端部には、下方に突出する係止突部８ｃが形成される一方、該基端部と先端部とのあいだの中間部に下縁部から上方に向けて切り欠かれた二つの第一、第二係止凹部８ｄ、８ｅがそれぞれ形成されている。一方、回転体７の右側に位置する作動アーム９の基端側ピン９ａが設けられる基端部には、上方に突出する係止突部９ｃが形成される一方、該基端部と先端部とのあいだの中間部に上縁部から下方に向けて切り欠かれた二つの第一、第二係止凹部９ｄ、９ｅがそれぞれ形成されている。そして、作動アーム８、９の基端部が上下に位置してスライド体１０、１１を第一位置に位置せしめる状態では、左側（上側）の作動アーム８の係止突部８ｃが右側（下側）の作動アーム９の第二係止凹部９ｅに係止し、右側（下側）の作動アーム９の係止突部９ｃが左側（上側）の作動アーム８の第二係止凹部８ｅにそれぞれ係止するように設定され、これによって、これ以上の矢印Ｘ方向への回転を規制するとともに、これらスライド体１０、１１の第一位置を保持するように設定されており、該スライド体１０、１１が第一位置に位置する状態が後述する施錠姿勢に相当する。
【００１２】
これに対し、前記状態から、回転体７を反矢印Ｘ方向（反時計回り方向）に回転せしめることにより、図３の実線で示すように、各作動アーム８、９は、基端部が左右に隣接する位置関係となりスライド体１０、１１を互いに離間する第二位置に位置せしめるように設定されている。そして、スライド体１０、１１の第二位置では、左側の作動アーム８の第一係止凹部８ｄが回転体７の左側に設けたストッパピン７ａに上側から係止し、右側の作動アーム９の第一係止凹部９ｄが回転体７の右側に設けたストッパピン７ｂに下側から係止するように設定され、これによって、これ以上の矢印反Ｘ方向への回転を規制するとともに、スライド体１０、１１の第二位置を保持するように設定されており、該スライド体１０、１１が第二位置に位置する状態が後述する解錠姿勢に相当する。
【００１３】
一方、１３、１４は、それぞれ本発明の施錠装置を構成するフック体であって、これらフック体１３、１４は長板状の板体で構成され、長手方向一方の端部である先端に、後述する鎌片（本発明のフック部に相当する）１３ａ、１４ａが一体形成されている。そして、これらフック体１３、１４は、板面をプレート部６のプレート面に左右に並んだ状態で沿わせ、鎌片１３ａ、１４ａよりも基端側の長手方向中間部位を枢支ピン６ｂで支持することにより、プレート部６に回転自在に枢支連結されている。さらに、これらフック体１３、１４は、前記枢支ピン６ｂによる枢支部よりも基端側の連結部１３ｂ、１４ｂが、ケーシング底面５ｂに配された左右一対のスライド体１０、１１の左右方向外方部位に、作動ピン１３ｃ、１４ｃを用いてそれぞれ回転自在に枢支連結されている。そして、各フック体１３、１４は、スライド体１０、１１が第一位置と第二位置とのあいだをスライド変位することに伴い、枢支ピン６ｂを支点とする回転揺動を強制的に行うように設定されている。
尚、プレート部６の下方には折曲片６ａが形成されているが、該折曲片６ａには、フック体１３、１４配設部位に対向して一対のガイド孔６ｃが開設されており、フック体１３、１４は、該ガイド孔６ｃを貫通する状態で回転揺動するように設定され、該ガイド孔６ｃにガイドされることによりフック体１３、１４の回転揺動が所定の揺動方向から逸れないように配慮されている。
【００１４】
ここで、各スライド体１０、１１は、前述したように、ケーシング底面５ｂに摺動自在に面接触する状態で配されており、このため、各フック体１３、１４の基端部１３ｂ、１４ｂを各スライド１０、１１に連結するにあたり、ケーシング底面５ｂをも貫通する作動ピン１３ｃ、１４ｃを用いて連結されている。そして、フック体１３、１４は、枢支ピン６ｂによる枢支部を支点として回転揺動する構成であり、かつ、スライド体１０、１１との連結部においては左右方向の相対移動が規制されることが必須である。このため、スライド体１０、１１の作動ピン１３ｃ、１４ｃ貫通用の貫通孔は、上下方向に長い長孔１０ａ、１１ａに形成されている一方、ケーシング底面５ｂの作動ピン１３ｃ、１４ｃ貫通用の貫通孔は、左右方向に長い円弧形状の長孔５ｄに形成されている。
このように構成したものにおいて、キー孔１２ａに挿し込んだキーを介して回転体７を強制的に回転せしめることにより、回転体７の左右に配された作動アーム８、９、スライド体１０、１１で構成される連動手段が強制的に変位し、これによって、一対のフック体１３、１４は枢支ピン６ｂを支点とする回転揺動を同時に行うように設定されている。つまり、各スライド体１０、１１が第一位置から第二位置に変位する場合では、左側のフック体１３は反時計回り方向に、右側のフック体１４は時計回り方向に回転揺動するように設定され、この状態では、両フック体１３、１４の鎌片１３ａ、１４ａがプレート部折曲片６ａの貫通孔６ｃ部位に位置しており、該姿勢が前記解錠姿勢に設定されている。これとは逆に、スライド体１０、１１が第二位置から第一位置へスライド変位した場合では、左側のフック体１３は時計回り方向に、右側のフック体１３は反時計回り方向に同時に回転揺動するように設定され、鎌片１３ａ、１４ａが下方に垂下する姿勢となり、該姿勢が前記施錠姿勢に設定されている。
【００１５】
前記フック体１３、１４は、前述したように板状体の先端部（施錠姿勢で下端部）に鎌片１３ａ、１４ａが形成されたものとなっており、これら鎌片１３ａ、１４ａに本発明が実施されている。そして、本実施の形態では、座板側ユニット４に設けられる一対のフック体１３、１４は、同様の形状のものが左右線対称状に配設されている。
つまり、フック体１３、１４の鎌片１３ａ、１４ａは、左側に配されるフック体１３の鎌片１３ａは左側を向いて突出する鎌形状に、右側に配されるフック体１４の鎌片１４ａは右側を向いて突出する鎌形状に形成されている。そして、本実施の形態の各鎌片１３ａ、１４ａは、フック体１３、１４の下端部を屋外側に折曲するようにして形成されており、これによって、フック体１３、１４の揺動作動の方向（揺動方向）に沿う面（板面）から一方、本実施の形態では屋外側に向けて突出し（揺動方向に沿う面に直交する方向の一方に向けて突出し）、フック体１３、１４板厚よりも屋外側に偏寄する係止面を備えた第一フック部１３ｄ、１４ｄと、該第一フック部１３ｄ、１４ｄと面一状であり、かつ、フック体１３、１４の揺動方向に沿う方向であって揺動方向先側に位置し、フック体１３、１４の板厚により構成される係止面を備えた第二フック部１３ｅ、１４ｅとが形成され、これによって、鎌片１３ａ、１４ａに略Ｌ字形の係止面を形成するように設定されている。
因みに、第一フック部１３ｄ、１４ｄは、フック体１３、１４の長手方向一方の端部の全域にわたって形成されており、第二フック部１３ｅ、１４ｅの左右長さよりも長く形成されている。
【００１６】
そして、座板側ユニット４は、ケーシング５の屋外側開口を、プレート部６により覆蓋するように組み込むことで構成され、該座板側ユニット４のプレート部６を座板１ｃの屋内側面に突き当てて固定することにより、座板１ｃへの組み込みがなされている。この組み込み状態において、施錠姿勢のフック体１３、１４は、プレート部折曲片６ａの貫通孔６ｃを貫通して下方に垂下しており、鎌片１３ａ、１４ａ形成側部位は、座板１ｃの下端部の水切り板１ｄに開設された貫通孔１ｅを介して座板１ｃの下端面よりも下方にまで至るように設定されている。
【００１７】
これに対し、開口部下側である躯体側の床面には受け座ユニット１５が設けられ、座板側ユニット４に設けられた各フック体１３、１４の鎌片１３ａ、１４ａが施錠姿勢に変姿することに伴い係止するように設定されている。
前記受け座ユニット１５は、床面に形成された凹穴の開口を閉鎖するように固定される長尺状板体で構成されており、該受け座ユニット１５の左右端部には、座板側ユニット４に配される一対のフック体鎌片１３ａ、１４ａが係脱自在に貫通して係止するための係止孔１６、１７が開設されており、これら係止孔１６、１７の左右方向外側の孔縁が本発明のフック受け部に相当している。
つまり、前記各係止孔１６、１７の左右方向の孔長は、前記フック体鎌片１３ａ、１４ａの左右方向長さよりもそれぞれ長く形成され、前後方向の孔幅は、互いに近接する側（内側）については、フック体鎌片１３ａ、１４ａの前後方向長さよりもそれぞれ長く形成されていて、フック体１３、１４の揺動に伴い、鎌片１３ａ、１４ａの回転方向先側の端部が各係止孔１６、１７内に嵌入できる大きさに設定されている。一方、各係止孔１６、１７の互いに離間する側（外側）の孔端は、前後両方向から孔幅が狭くなる形状に形成されており、その孔幅は、フック体１３、１４の板厚よりも長い寸法に形成されて、フック体１３、１４の鎌片１３ａ、１４ａよりも上方部位は貫通するが鎌片１３ａ、１４ａ部位は貫通できない孔幅に構成されている。そして、このように構成された各係止孔１６、１７の孔幅の狭くなった孔縁に対し、施錠姿勢になるべく下方揺動して係止孔１６、１７に嵌入したフック体鎌片１３ａ、１４ａの揺動方向先側部位が下側から係止することにより、フック体１３、１４が係止孔１６、１７から抜け出すことのない施錠状態となるように構成されている。この場合に、屋外側部位の孔縁は第一フック受け部（鎌片掛かり代）１６ａ、１７ａとなって、鎌片１３ａ、１４ａの第一フック部１３ｄ、１４ｄが係止し、左右方向外端側部位の孔縁は第二フック受け部（鎌片掛かり代）１６ｂ、１７ｂとなって、鎌片１３ａ、１４ａの第二フック部１３ｅ、１４ｅが係止するように設定されており、各係止孔１６、１７の左右方向外端と屋外側とのコーナー部に、第一、第二フック受け部１６ａ、１６ｂ、１７ａ、１７ｂとが略Ｌ字形状となって形成されている。
尚、これら係止孔１６、１７の屋内側の孔縁には、左右方向外端の孔幅の狭い部位に続くようにガイド部１６ｃ、１７ｃが形成されている。これらガイド部１６ｃ、１７ｃは、回転揺動して係止孔１６、１７の左右方向内側の幅広な部位から孔内に嵌入するフック体１３、１４のフック体鎌片１３ａ、１４ａを、孔幅の狭い第一、第二フック受け部１６ａ、１６ｂ、１７ａ、１７ｂに係止させるべく、該側（左右方向外端側）に向けて誘導するように設定されている。
【００１８】
このように構成された錠ユニットＲにおいて、シャッターカーテン１を引き下ろして全閉姿勢とすることにより、座板１ｃの下端面が、床面に設けた受け座ユニット１５に当接する状態となる。この状態において、シリンダ錠１２のキー孔１２ａにキーを挿し込んで矢印Ｘ方向に回転させることにより、前述の連動手段が強制的に変位して、フック体１３、１４を同時に施錠−解錠姿勢に姿勢切り換えをする。そして、スライド体１０、１１が第二位置から第一位置に変位した場合では、錠ユニットＲの一対のフック体１３、１４が解錠姿勢から施錠姿勢に回転揺動して、フック体鎌片１３ａ、１４ａは、座板１ｃ下端面よりも下方のフック受け部係止孔１６、１７内にそれぞれ嵌入して、鎌片１３ａ、１４ａが係止孔１６、１７の孔縁に係止するが、このとき、第一フック部１３ｄ、１４ｄは係止孔１６、１７の第一フック受け部１６ａ、１７ａに係止して第一係止部Ｄ１を構成し、第二フック部１３ｅ、１４ｅは第二フック受け部１６ｂ、１７ｂに係止して第二係止部Ｄ２を構成するように設定されている。これによって、各フック体１３、１４とフック受け部１５の各係止孔１６、１７とは、フック体１３、１４の揺動作動方向（揺動方向）に沿う面から一方に突出する方向であって、揺動方向に直交する方向のうち屋外側の部位の第一係止部Ｄ１と、フック体１３、１４の揺動方向（回転作動方向）に沿う左右方向外方部位であって、揺動方向先側の第二係止部Ｄ２との二方向において係止部が確保されて、係止面積の大きな係止がなされるように設定されている。
【００１９】
叙述の如く構成された本形態において、シャッターカーテン１を全閉姿勢として、錠ユニットＲのシリンダ錠１２を操作することにより、座板側ユニット４と受け座ユニット１５とで構成される錠ユニットＲの一対の施錠装置（フック体１３、１４と係止孔１６、１７と）による係止がなされて、シャッターカーテン１を床面に一体化する施錠状態とすることができる。そして、この場合に、座板側ユニット４に設けられる一対のフック体１３、１４と受け座ユニット１５とは、フック体１３、１４の揺動方向（回転揺動方向）に沿う面から一方向（屋外側）に突出して配される第一フック部１３ｄ、１４ｄと第一係止受け片１６ａ、１７ａとによる第一係止部Ｄ１とともに、フック体１３、１４の揺動方向先側に位置して形成される第二フック部１３ｅ、１４ｅと第二フック受け部１６ｂ、１７ｂとによる第二係止部Ｄ２との二方向においてそれぞれ係止されている。しかも、第一フック部１３ｄ、１４ｄは、第一フック部１３ｄ、１４ｄよりも左右方向に長く形成されていて、第二係止部Ｄ２の係止面積が左右方向に長くなるようにしているので、個々のフック体１３、１４における係止面積をそれぞれ広く確保できる。これによって、従来のように、施錠装置を数多く設けたり、別途構成の施錠装置を設ける等する必要がなく、施錠するための装置が大型化してしまうようなことがない。
【００２０】
しかも、このものでは、各フック体１３、１４において、それぞれ揺動方向に沿う面から屋外側に突出する方向と、該揺動方向の先側となる二方向において係止されて、第一、第二係止部Ｄ１、Ｄ２を形成するので、施錠されているもの同士のあいだにガタつきが生じたとしても、前記二方向の係止が一度に外れてしまうような現象は極めて発生し難いことであり、防犯機能の一層の強化を図ることができる。
さらに、このものでは、フック体１３、１４と係止孔１６、１７とが、各フック体１３、１４の揺動方向に沿う面から突出する方向と、揺動方向先側の方向との両方向において係止する構成であり、第一、第二フック部１３ｄ、１３ｅ、１４ｄ、１４ｅ、および、係止孔１６、１７の第一、第二フック受け部１６ａ、１６ｂ、１７ａ、１７ｂとがそれぞれＬ字形となって一体に形成される構成であるので、鎌片１３ａ、１４ａおよび係止孔１６、１７孔縁を一層変形し難いものにすることができて、防犯性のさらなる強化を図ることができる。しかも、仮令鎌片１３ａ、１４ａが変形したとしても、係止面積が大きく、かつ、二方向における係止であるため、これら二方向の係止は一度に外れ難く、一層防犯性の優れたものにできるという利点もある。
【００２１】
さらに、このものにおいて、フック受け部は、受け座ユニット１５に形成された貫通孔１６、１７の孔縁に形成された第一、第二フック受け部１５ａ、１６ａ、１５ｂ、１６ｂとしたので、フック体鎌片１３ａ、１４ａとの施錠を簡単な構成でありながら確りとしたものにできる。
【００２２】
そして、このような施錠装置をシャッターカーテン１の下端部と、開口部下方の床部とのあいだに設けた場合、各フック体１３、１４の係止面積を大きく確保できるため、各フック体１３、１４と係止孔１６、１７との係止力を大きく確保できて、施錠装置を大型化することなく、確実な施錠を実施することができる。
【００２３】
しかも、このものでは、フック体１３、１４と係止孔１６、１７との係止がそれぞれの施錠装置において二箇所づつ形成されることになるので、各フック体１３、１４の鎌片１３ａ、１４ａを係止孔１６、１７から外れ難くすることができる。しかも、鎌片１３ａ、１４ａが変形し難い形状であるが故に、例えば工具等を用いてシャッターカーテン１を無理矢理抉じ開けようとしたとしてもなかなか変形させることができず、防犯性の優れたシャッター装置とすることができる。
【００２４】
さらにこのものにおいて、左右一対のフック体１３、１４を備えた座板側ユニット４と係止孔１６、１７が形成された受け座ユニット１５とを、シャッターカーテン座板１ｃと床部とのあいだに設ける構成とした場合、前述したように係止面積の拡大によって係止力が強固になるばかりでなく、開口部上方に吊持されるために左右方向だけでなく屋内外方向へのガタつきが発生しやすいシャッターカーテン１であっても、フック体１３、１４の係止が外れてしまうようなことがなく、防犯性の向上を果せる。
【００２５】
しかもこのものにおいて、シャッターカーテン１と座板１ｃとのあいだに設けられる錠ユニットＲは、座板１ｃに設けられる左右一対のフック体１３、１４を備えた座板側ユニット４と、床部に設けられる左右一対の係止孔１６、１７が設けられる受け座ユニット１５とにより構成されているので、施錠装置の取り付けが容易になる。
【００２６】
しかも、錠ユニットＲの左右一対のフック体１３、１４は、揺動方向が互いに反対方向となるようにして設けられている。ところで、フック体１３、１４の揺動方向が同方向を向く錠ユニットを構成した場合、座板側ユニット４を左右方向に大きくガタつかせることによって受け座ユニット１５との係止が外れてしまう惧れがある。しかるに、本実施の形態のようにフック体１３、１４の揺動方向を互いに反対方向とすることにより、シャッターカーテン１を左右に無理矢理振ることにより、一方のフック体１３または１４と係止孔１６または１７の係止が外れそうになっても、他方のフック体１４または１３と係止孔１７または１６との係止は、前記一方のものとは逆に一層大きく係止することになって、外れ難さを改善できて、防犯性が高まる。
【００２７】
また、錠ユニットＲに設けられた一対の施錠装置（フック体１３、１４と係止孔１６、１７）は、錠ユニットＲの回転体７をキーによって操作することで一度に施錠−解錠姿勢に変姿させることができるので、確りとした施錠を簡単な操作で行うことができて、操作性に優れたシャッター装置とすることができる。
【００２８】
尚、本発明は前記実施の形態に限定されないことは勿論であって、施錠装置をシャッターカーテンの下端部と床部とのあいだに設ける場合に、前記第一の実施の形態における座板側ユニットと受け座ユニットとで構成される錠ユニットを、左右方向に複数箇所設けるようにすることもでき、例えば、図７に示す第二の実施の形態のように、前記座板側ユニット４とフック受け部とで構成された錠ユニットＲを、シャッターカーテン１の座板１ｃの左右両端部の二箇所に設けるように構成してもよい。この場合では、フック体による係止が一層確実になって、しかも、フック体を係止孔から一層外し難いものにすることができて、さらなる防犯性の向上を図れる。
また、このものにおいて、左右に設けられる錠ユニットに設けられる各一対のフック体と係止孔とを、各フック体の鎌片がそれぞれの錠ユニット毎に同方向を向くように配設する、つまり、左側の錠ユニットの鎌片は左側に突出するように設け、右側の錠ユニットの鎌片は右側に突出するように設ける構成としてもよく、この場合でも、フック部をフック受け部から外し難くできて、防犯性の向上が図れる。
【００２９】
さらに、フック体としては、図８〜図１０に示す第三の実施の形態のように構成することができる。
第三の実施の形態の錠ユニットＲは、第一の実施の形態のように左右一対のフック体１８、１９を備えた座板側ユニット２０により構成されており、連動手段等、基本的な部材構成、組み込み構成は前記第一の実施の形態と同様であり、第一の実施の形態と同様の符号を付すことにより構成の説明を省略する。
前記各フック体１８、１９の鎌片１８ａ、１９ａは、各フック体１８、１９の揺動方向に沿う面から屋内外の両方向に突出し、かつ、左右方向に延出する係止面を備えた一対の第一、第二フック部１８ｂ、１８ｃ、１９ｂ、１９ｃをそれぞれ備えて構成されている。一方、受け座ユニット２１に形成される一対の係止孔２２、２３は、左右方向外方が幅狭に形成されており、該部位の左右方向外端部であって、フック体１８、１９の揺動方向に沿う面から屋内外に突出する方向である屋内外両側のコーナー部がそれぞれ第一、第二フック受け部２２ａ、２２ｂ、２３ａ、２３ｂに形成されている。そして、シャッターカーテン１を全閉姿勢とし、座板側ユニット２０を施錠−解錠操作することにより、スライド体１０、１１が第一位置、第二位置とのあいだを変位し、これによって、スライド体１０、１１に連結ピン１８ｄ、１９ｄを介して連結されたフック体１８、１９が、枢支ピン６ｂを支点として回転揺動して施錠姿勢−解錠姿勢とのあいだを変姿するように設定され、前記フック体１８、１９の施錠姿勢では、第一、第二フック部１８ｂ、１８ｃ、１９ｂ、１９ｃがそれぞれ第一、第二フック受け部２１ａ、２１ｂ、２２ａ、２２ｂにそれぞれ係止するように設定されている。
因みに、このものにおいて、フック体１８、１９とフック受け部係止孔２１、２２の孔縁との係止部は、フック体１８、１９の回転（揺動）方向に沿う面から両方向に突出する方向であって、フック体１８、１９の両側部において都合二箇所に設けられている。これによって、広い係止面積を確保することができて係止力を大きくできるばかりでなく、不審者に外され難くすることができて、防犯性の向上を図れる。
【００３０】
さらに、前記第三の実施の形態のように、鎌片の係止部を、フック体の作動方向の両側部に設ける構成とするとともに、さらに、前記第一の実施の形態のように、鎌片に、フック体の揺動方向先側に係止部を形成する構成とすることも可能であり、このようにすることで、係止面積の一層の拡大が果せて、大きな係止力を確保できるうえ、一層外され難くすることができ、防犯性に優れた施錠装置にできる。
【００３１】
また、図１１に示す第四の実施の形態のように構成することもできる。前記第四の実施の形態の施錠装置は、前記各実施の形態と同様に一対のフック体が錠ユニットに組み込まれている。前記各フック体の一方に基づいて説明すると、フック体２４の鎌片２４ａは、フック体２４の揺動方向に沿う面から突出する第一フック部２４ｂと、揺動方向先側に位置する第二フック部２４ｃとが形成されているが、第二フック部２４ｃは、前記第一の実施の形態のように、フック体２４の左右方向外方を凹状に切り欠くのではなく、左右方向外方に突出させることにより形成されている。このものにおいて、フック体２４の揺動に伴い、第一フック部２４ｂが係止孔２５の孔縁に形成される第一フック受け部２５ａに係止する一方、第二フック部２４ｃが係止孔２５の孔縁に形成される第二フック受け部２５ｂに係止するように設定され、この場合でも、フック体２４の揺動方向に沿う面から突出する方向と、揺動方向先側の方向との二方向における係止がなされることは前記第一の実施の形態と同様である。そして、このものでも、係止面積を広く確保できるばかりでなく、二方向にわたる確りとした係止ができる。そのうえ、第一の実施の形態のようにＬ字形の係止部を形成することができるとともに、凹状の切り欠きが形成されない分、フック体２４を一層変形しにくい形状とすることができる。
【図面の簡単な説明】
【００３２】
【図１】シャッター装置の屋内側からの正面図である。
【図２】図２（Ａ）、（Ｂ）、（Ｃ）はそれぞれシャッターカーテン下端部における平面図、屋内側からの正面図、側面図である。
【図３】フック体ユニットのプレート部を取り外した状態の正面図である。
【図４】図４（Ａ）、（Ｂ）はそれぞれフック体ユニットの作用を説明する正面図、図４（Ａ）のＸ−Ｘ断面図である。
【図５】図５（Ａ）、（Ｂ）、（Ｃ）はそれぞれフック体ユニットのプレート部を取り外し、一部を切り欠いた正面図、フック体ユニットの側面図、フック受け部の一部平面図である。
【図６】図６（Ａ）、（Ｂ）、（Ｃ）はそれぞれフック体の正面図、側面図、底面図である。
【図７】第二の実施の形態におけるシャッター装置の屋内側からの正面図である。
【図８】図８（Ａ）、（Ｂ）はそれぞれ第三の実施の形態におけるフック体ユニットのプレート部を取り外した状態の正面図、図８（Ａ）のＸ−Ｘ断面図である。
【図９】図９（Ａ）、（Ｂ）はそれぞれ第三の実施の形態におけるフック体ユニットのプレート部を取り外した状態の正面図、フック受け部の平面図である。
【図１０】図１０（Ａ）、（Ｂ）、（Ｃ）はそれぞれ第三の実施の形態におけるフック体の正面図、側面図、底面図である。
【図１１】図１１（Ａ）、（Ｂ）、（Ｃ）、（Ｄ）はそれぞれ第四の実施の形態におけるフック体の正面図、側面図、底面図、係止孔との係止状態を説明する底面図である。
【符号の説明】
【００３３】
１    シャッターカーテン
４    フック体ユニット
５    ケーシング
６    プレート部
６ｂ    枢支ピン
７    回転体
８    作動アーム
１０    スライド体
１３    フック体
１３ａ    鎌片
１３ｄ    第一フック部
１３ｅ    第二フック部
１５    フック受け部
１６    係止孔
１６ａ    第一フック受け部
１６ｂ    第二フック受け部
【図１】
2006144471.tif 000003
【図２】
2006144471.tif 000004
【図３】
2006144471.tif 000005
【図４】
2006144471.tif 000006
【図５】
2006144471.tif 000007
【図６】
2006144471.tif 000008
【図７】
2006144471.tif 000009
【図８】
2006144471.tif 000010
【図９】
2006144471.tif 000011
【図１０】
2006144471.tif 000012
【図１１】
2006144471.tif 000013